【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって右眼にアライメントされた状態で顔面部の右境界を含み左眼にアライメントされた状態で顔面部の左境界を含む検出領域を持つ受光手段と、該受光手段による検出結果に基づいて顔面部の境界が左右いずれにあるかにより被検眼の左右判別を行う判別手段と、を有することを特徴とする眼科装置。
【請求項２】
請求項１の眼科装置において、前記投射手段によって投射される光は近赤外域の波長を持ち、前記受光手段は近赤外域の光を透過しそれ以外の波長の光を遮断する波長選択手段を備えることを特徴とする眼科装置。
【請求項３】
請求項１の眼科装置において、前記判別手段は前記光源を点灯したときの反射光と消灯したときの反射光の検出結果を比較する比較手段を備えることを特徴とする眼科装置。
【請求項４】
請求項１の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする眼科装置。
【請求項５】
請求項４の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする眼科装置。
【請求項６】
請求項１の眼科装置は、さらに受光量に対する所定の閾値を設定する閾値設定手段と、該閾値と検出された反射光の受光量とから被検者と装置との距離関係を検知する距離検知手段と、該距離検知手段による検知結果に基づいて検者に警告する警告手段と、を有することを特徴とする眼科装置。
【請求項７】
請求項１の眼科装置は、さらに受光量に対する所定の閾値を設定する閾値設定手段と、該閾値と検出された反射光の受光量とから被検者の顔面部の有無又は被検者と装置との距離関係を検知する検知手段と、該検知手段による検知結果に基づいて動作モ−ドを制御する制御手段と、を有することを特徴とする眼科装置。
【請求項８】
被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって該位置検出素子上の反射光受光部分と非受光部分との位置関係を検出する受光手段と、該受光手段による検出結果に基づいて被検眼の左右判別を行う判別手段と、を有することを特徴とする眼科装置。
【請求項９】
請求項８の眼科装置において、前記投射手段によって投射される光は近赤外域の波長を持ち、前記受光手段は近赤外域の光を透過しそれ以外の波長の光を遮断する波長選択手段を備えることを特徴とする眼科装置。
【請求項１０】
請求項８の眼科装置において、前記位置検出素子はＰＳＤであり、前記判別手段は該ＰＳＤによる検出結果に基づいて前記光源からの光による反射光の重心位置を求めることにより被検眼の左右判別を行うことを特徴とする眼科装置。
【請求項１１】
請求項１０の眼科装置は、さらに被検眼と前記測定系とのアライメントが完了したときの反射光の平均的重心位置を記憶する位置記憶手段と、該位置記憶手段に記憶された重心位置の座標と前記ＰＳＤが検出した反射光の重心位置の座標とに基づいて被検眼と前記測定系とのアライメントずれを求める演算手段と、求められたアライメントずれを表示する表示手段と、を有することを特徴とする眼科装置。
【請求項１２】
請求項８の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする眼科装置。
【請求項１３】
請求項１２の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする眼科装置。
【請求項１４】
請求項８の眼科装置は、さらに受光量に対する所定の閾値を設定する閾値設定手段と、該閾値と検出された反射光の受光量から被検者と装置との距離関係を検知する距離検知手段と、該距離検知手段の検知結果に基づいて検者に警告する警告手段と、を有することを特徴とする眼科装置。
【請求項１５】
請求項８の眼科装置は、さらに受光量に対する所定の閾値を設定する閾値設定手段と、該閾値と検出された反射光の受光量から被検者の顔面部の有無又は被検者と装置との距離関係を検知する検知手段と、該検知手段による検知結果に基づいて動作モ−ドを制御する制御手段と、を有することを特徴とする眼科装置。
【手続補正２】
【補正対象書類名】明細書
【補正対象項目名】０００８
【補正方法】変更
【補正の内容】
【０００８】
（１）  被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって右眼にアライメントされた状態で顔面部の右境界を含み左眼にアライメントされた状態で顔面部の左境界を含む検出領域を持つ受光手段と、該受光手段による検出結果に基づいて顔面部の境界が左右いずれにあるかにより被検眼の左右判別を行う判別手段と、を有することを特徴とする。
（２）  （１）の眼科装置において、前記投射手段によって投射される光は近赤外域の波長を持ち、前記受光手段は近赤外域の光を透過しそれ以外の波長の光を遮断する波長選択手段を備えることを特徴とする。
（３）  （１）の眼科装置において、前記判別手段は前記光源を点灯したときの反射光と消灯したときの反射光の検出結果を比較する比較手段を備えることを特徴とする。
（４）  （１）の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする。
（５）  （４）の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする。
（６）  （１）の眼科装置は、さらに受光量に対する所定の閾値を設定する閾値設定手段と、該閾値と検出された反射光の受光量とから被検者と装置との距離関係を検知する距離検知手段と、該距離検知手段による検知結果に基づいて検者に警告する警告手段と、を有することを特徴とする。
（７）  （１）の眼科装置は、さらに受光量に対する所定の閾値を設定する閾値設定手段と、該閾値と検出された反射光の受光量とから被検者の顔面部の有無又は被検者と装置との距離関係を検知する検知手段と、該検知手段による検知結果に基づいて動作モ−ドを制御する制御手段と、を有することを特徴とする。
（８）  被検眼と測定系とを所定の関係に位置合わせするためのアライメント光学系を備え、被検眼の検査測定を行う眼科装置において、被検者の顔面部に光を投射するための光源を備える投射手段と、該投射手段によって生じた反射光を受光する位置検出素子を持つ光学系であって該位置検出素子上の反射光受光部分と非受光部分との位置関係を検出する受光手段と、該受光手段による検出結果に基づいて被検眼の左右判別を行う判別手段と、を有することを特徴とする。
（９）  （８）の眼科装置において、前記投射手段によって投射される光は近赤外域の波長を持ち、前記受光手段は近赤外域の光を透過しそれ以外の波長の光を遮断する波長選択手段を備えることを特徴とする。
（１０）  （８）の眼科装置において、前記位置検出素子はＰＳＤであり、前記判別手段は該ＰＳＤによる検出結果に基づいて前記光源からの光による反射光の重心位置を求めることにより被検眼の左右判別を行うことを特徴とする。
（１１）  （１０）の眼科装置は、さらに被検眼と前記測定系とのアライメントが完了したときの反射光の平均的重心位置を記憶する位置記憶手段と、該位置記憶手段に記憶された重心位置の座標と前記ＰＳＤが検出した反射光の重心位置の座標とに基づいて被検眼と前記測定系とのアライメントずれを求める演算手段と、求められたアライメントずれを表示する表示手段と、を有することを特徴とする。
（１２）  （８）の眼科装置において、前記位置検出素子はＣＣＤであり、前記判別手段は受光量に対する所定の閾値を設定する閾値設定手段と、該閾値設定手段によって設定された閾値と前記ＣＣＤによる検出結果とから受光された反射光の中心位置又は光量バランスを求める演算手段と、を備えることを特徴とする。
（１３）  （１２）の眼科装置は、さらに被検眼と前記測定系とのアライメントが完了したときの反射光の平均的中心位置を記憶する位置記憶手段と、該位置記憶手段に記憶された中心位置の座標と前記ＣＣＤが検出した反射光の中心位置の座標とに基づいて被検眼と前記測定系とのアライメントずれを求める演算手段と、求められたアライメントずれを表示する表示手段と、を有することを特徴とする。
（１４）  （８）の眼科装置は、さらに受光量に対する所定の閾値を設定する閾値設定手段と、該閾値と検出された反射光の受光量から被検者と装置との距離関係を検知する距離検知手段と、該距離検知手段の検知結果に基づいて検者に警告する警告手段と、を有することを特徴とする。
（１５）  （８）の眼科装置は、さらに受光量に対する所定の閾値を設定する閾値設定手段と、該閾値と検出された反射光の受光量から被検者の顔面部の有無又は被検者と装置との距離関係を検知する検知手段と、該検知手段による検知結果に基づいて動作モ−ドを制御する制御手段と、を有することを特徴とする。


【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００６１
【補正方法】変更
【補正の内容】
【００６１】
装置が被検眼に対して自動的に動いて位置合わせするような場合には、これらの情報を基に動作を止めたり動かしたりすることができる。
【発明の効果】
以上説明したように、本発明によれば、検査測定部が移動しない装置でも、被検眼の左右判別を検者が入力する必要がなく、特に手持ち型の眼科装置として好適に利用することができる。